(57)【特許請求の範囲】
【請求項１】
外部装置側コネクタとモータ側コネクタとを連結させることによって、モータ内に配置されたモータボビンの巻線用接続端子に対して上記外部装置を電気的に接続させるようにしたモータ用コネクタ装置において、
上記モータ側コネクタが、導電性材質からなる複数個の接続部材と、これら複数個の接続部材を保持するホルダとを備え、
上記接続部材の延在方向である前記モータの軸方向一端側には、当該モータの軸方向と直交する方向に突出する前記巻線用接続端子が嵌合するモータ側係合部が設けられているとともに、
当該接続部材の延在方向である前記モータの軸方向他端側には、前記外部装置側コネクタが嵌合する外部側係合部が設けられたものであって、
前記接続部材の延在方向である前記モータ側係合部及び外部側係合部の離間方向に向かって見たときの前記接続部材の端面形状が前記モータ側係合部と外部側係合部とを繋ぐように略Ｕ字状に折り返された形状になされ、その略Ｕ字状の両端に相当する部分に前記モータ側係合部及び外部側係合部がそれぞれ配置され、かつ
前記モータ側係合部は、前記外部側係合部側から片持ち状に延在して互いに近接配置された前記略Ｕ字の平行部分に相当する一対の可撓性部材を有し、それら一対の可撓性部材どうしの対向隙間内に前記巻線用接続端子が挿入されて弾性的に挟持されるように構成されているとともに、
前記外部側係合部は、前記略Ｕ字状の一端に相当する部分から前記モータの軸方向に細長状に延出する端子部を有し、その端子部に外部装置側コネクタがモータの軸方向に嵌合される構成になされていることを特徴とするモータ用コネクタ装置。
【請求項２】
前記モータ側コネクタのホルダは、モータケースの一部を構成するように、当該モータケースに対して嵌着されていることを特徴とする請求項１記載のモータ用コネクタ装置。
【請求項３】
前記モータ側コネクタの各接続部材は、前記モータの軸方向と略平行に延在する本体延設部を有し、
当該本体延設部の延在方向における両端部分に、前記モータ側係合部及び外部側係合部が互いに離間するように設けられているとともに、
上記接続部材の外部側係合部に対する外部装置側コネクタの着脱方向が、上記モータ側係合部に対する前記巻線用接続端子の着脱方向に対して、略直交する方向に設定されていることを特徴とする請求項１記載のモータ用コネクタ装置。
【請求項４】
前記モータ側係合部は、前記本体延設部の折り返された形状の対向する面を含むように形成され、
前記モータ側係合部の対向面間に、前記巻線用接続端子が弾性的に挟持される形状になされていることを特徴とする請求項３記載のモータ用コネクタ装置。
【請求項５】
前記モータ側コネクタが、モータに対して一体のユニット化された状態に嵌合されていることを特徴とする請求項１記載のモータ用コネクタ装置。
【発明の詳細な説明】
【０００１】
【発明の属する技術分野】
本発明は、外部装置側コネクタとモータ側コネクタとを連結させるようにしたモータ用コネクタ装置に関する。
【０００２】
【従来の技術】
一般に、モータでは、モータボビンに巻回された駆動コイル（巻線）の端部が、ピン形状をなす巻線用接続端子に対して半田付けされているとともに、その巻線用接続端子が、基板側に対して同じく半田付けにより接続されており、更に、その基板側から延出するビニール線が、コントローラなどの外部装置側まで引き回される。そして、そのモータ側から延出しているビニール線の延出端には、モータ側コネクタが設けられていて、当該モータ側コネクタが、上記外部装置側コネクタに嵌合されることによって、モータの巻線用接続端子に対して外部装置側が電気的に接続されるようになされている。
【０００３】
【発明が解決しようとする課題】
しかしながら、このような一般に用いられているモータ用コネクタ装置では、上述したような多くの部品が使用されていることから、部品管理や生産性が良好でない上に、半田付けを多用していることから、作業環境も良好でない。
【０００４】
そこで、本発明は、簡易な構造で安価かつ良好にコネクタの接続作業を行うことができるようにしたモータ用コネクタ装置を提供することを目的とする。
【０００５】
【課題を解決するための手段】
上記目的を達成するために請求項１にかかるモータ用コネクタ装置では、外部装置側コネクタとモータ側コネクタとを連結させることによって、モータ内に配置されたモータボビンの巻線用接続端子に対して上記外部装置を電気的に接続させるようにしたモータ用コネクタ装置において、上記モータ側コネクタが、導電性材質からなる複数個の接続部材と、これら複数個の接続部材を保持するホルダとを備え、上記接続部材の延在方向である前記モータの軸方向一端側には、当該モータの軸方向と直交する方向に突出する前記巻線用接続端子が嵌合するモータ側係合部が設けられているとともに、当該接続部材の延在方向である前記モータの軸方向他端側には、前記外部装置側コネクタが嵌合する外部側係合部が設けられたものであって、前記接続部材の延在方向である前記モータ側係合部及び外部側係合部の離間方向に向かって見たときの前記接続部材の端面形状が前記モータ側係合部と外部側係合部とを繋ぐように略Ｕ字状に折り返された形状になされ、その略Ｕ字状の両端に相当する部分に前記モータ側係合部及び外部側係合部がそれぞれ配置され、かつ前記モータ側係合部は、前記外部側係合部側から片持ち状に延在して互いに近接配置された前記略Ｕ字の平行部分に相当する一対の可撓性部材を有し、それら一対の可撓性部材どうしの対向隙間内に前記巻線用接続端子が挿入されて弾性的に挟持されるように構成されているとともに、前記外部側係合部は、前記略Ｕ字状の一端に相当する部分から前記モータの軸方向に細長状に延出する端子部を有し、その端子部に外部装置側コネクタがモータの軸方向に嵌合される構成になされている。
そして、このような構成を有する請求項１にかかるモータ用コネクタ装置によれば、モータボビンの巻線用接続端子が、なんらの部材を介することなく、モータ側コネクタに対して直接的に接続されることとなり、最小の部品構成で効率的に接続作業が行われるようになっている。
【０００６】
また、請求項２にかかるモータ用コネクタ装置では、上記請求項１に加えて、モータ側コネクタのホルダが、モータケースの一部を構成するように当該モータケースに対して嵌着されていることから、上記請求項１の作用に加えて、モータ側コネクタがモータと一体的に好適に取り扱われる。
【０００７】
また、請求項３にかかるモータ用コネクタ装置では、上記請求項１に加えて、モータ側コネクタの各接続部材が、前記モータの軸方向と略平行に延在する本体延設部を有し、当該本体延設部の延在方向における両端部分に、前記モータ側係合部及び外部側係合部が互いに離間するように設けられているとともに、前記モータ側係合部及び外部側係合部が、前記モータの軸方向に離間するようにそれぞれ設けられているとともに、上記接続部材の外部側係合部に対する外部装置側コネクタの着脱方向が、上記モータ側係合部に対する前記巻線用接続端子の着脱方向に対して、略直交する方向に設定されている。
従って、この請求項３にかかるモータ用コネクタ装置によれば、上記請求項１の作用に加えて、外部側係合部に対して外部装置側コネクタを着脱させた際に、その外部装置側コネクタの着脱による負荷が、モータ側係合部と巻線用接続端子との接続部分に対して直接的にかかることがない。
【０００９】
また、請求項４にかかるモータ用コネクタ装置では、請求項３に加えて、モータ側係合部は、前記本体延設部の折り返された形状の対向する面を含むように形成され、前記モータ側係合部の対向面間に、前記巻線用接続端子が弾性的に挟持される形状になされていることから、本体延設部の折り返された形状を利用してモータ側係合部が効率的に形成されていることとなって、上記請求項３の作用に加えて、モータ側コネクタの生産性が向上されるようになっている。
【００１０】
さらに、請求項５にかかるモータ用コネクタ装置では、請求項１に加えて、モータ側コネクタが、モータに対して一体のユニット化された状態に嵌合されていることから、モータ側コネクタを取り付ける作業が、簡略化又は省略される。
【００１１】
【発明の実施の形態】
以下、本発明にかかるモータ用コネクタ装置を、冷蔵庫に使用されるダンパー装置に適用した場合の実施形態について説明する。
【００１２】
まず図４に示されている本発明を適用した冷蔵庫１の全体は、冷凍室２と、冷蔵室３と、野菜室４に区分されていて、上記冷凍室２の底部にエバポレータ５が設けられている。そのエバポレータ５の後部にはファンモータ６が配設されており、得られた冷気を、上述した冷凍室２、冷蔵室３及び野菜室４へ送風循環させている。そして、上記エバポレータ５と冷蔵室３の間には仕切坂７が設けられ、上記エバポレータ５の冷気が、冷蔵室３に直接流れるのを遮断している。
【００１３】
一方、この仕切坂７の後部と冷蔵庫１の後部内壁との間には、冷気流通路８が形成され、その冷気流通路８の野菜室４に通ずる部分にモータ式ダンパー装置１０が嵌め込まれている。すなわち、上記モータ式ダンパー装置１０が冷気流通路８の一部を形成するように嵌め込まれており、そのモータ式ダンパー装置１０自体が冷気流通路８を兼ねるように構成されている。また、このモータ式ダンパー装置１０は、上記冷蔵室３の背面部にも設置されていて、当該実施形態では、モータ式ダンパー装置１０を２つ設置している。なお、モータ式ダンパー装置１０は、冷蔵室３と野菜室４の双方に設置せず、どちらか一方にのみ設置しても良いし、加えて冷凍室２用に取り付けても良いし、または、全室にそれぞれ取り付けても良い。
【００１４】
次に、上記モータ式ダンパー装置１０に設けられた駆動部の構造について説明する。
図２及び図３に示された駆動部は、２枚のバッフル１１ａ，１１ｂを駆動するものとなっており、樹脂製のケース体１２と、このケース体１２内に固定配置された双方向回転可能な駆動源としてのステッピングモータ１３と、そのステッピングモータ１３の回転を減速して伝達する減速歯車列１４と、ステッピングモータ１３の回転をバッフル１１ａ，１１ｂへ伝達するための伝達部材としての駆動車１５から主に構成されていて、上記ケース体１２の開口部分には、蓋状部材１２ａが被せられている。
【００１５】
ここで、上述したステッピングモータ１３においては、略円筒状をなすモータケース１３ａの内部に、駆動コイル（巻線）１３ｂが巻回された一対のモータボビン１３ｃ，１３ｃが装着されているとともに、それらのモータボビン１３ｃ，１３ｃの内側には、回転軸１３ｄと一体的に回転するロータ１３ｅが配置されている。
【００１６】
また、上記各モータボビン１３ｃに装着された駆動コイル（巻線）１３ｂの端末部分は、上記モータケース１３ａの外周面から半径方向外方側に向かって突出するように設けられた複数本の巻線用接続端子１３ｆの根本部分に巻回されるようにして接続されていて、それら複数本の巻線用接続端子１３ｆに対して、後述するように直接的に接続されたモータ側コネクタ２０が、上記モータケース１３ａに対して嵌着されるようにして取り付けられている。さらに、このモータ側コネクタ２０には、図示を省略した外部コントローラから延出している配線先端部分に設けられた外部装置側コネクタが、係合するようにして接続されている。
【００１７】
上記モータ側コネクタ２０は、平面略矩形状に形成された樹脂製のホルダ２１内に、複数個の導電性材質からなる接続部材２２を列状に備えており、それらの各接続部材２２は、インサート成形などによって上記樹脂製ホルダ２１内に埋設されている。この樹脂製ホルダ２１に設けられた係合脚部２１ａは、前記モータケース１３ａの一部を切り欠くようにして形成された係止部１３ｇの縁部に嵌合されている。このようにしてモータケース１３ａの一部を構成するように取り付けられた上記モータ側コネクタ２０の樹脂製ホルダ２１は、上述したダンパー装置の駆動部を構成している樹脂製ケース体１２の側壁面に形成された凹部１２ａに対して、モータの軸方向に沿って挿入することにより装着されている。
【００１８】
また、上記モータ側コネクタ２０に設けられた接続部材２２は、特に図１に示されているような形状になされていて、その接続部材２２の一端側（図１の下端側）には、前記モータ側の巻線用接続端子１３ｆが挿入・嵌合されるモータ側係合部２２ａが設けられている。また、その接続部材２２の他端側（図１の上端側）には、上述した外部装置側コネクタ（図示省略）が嵌合される外部側係合部２２ｂが設けられている。
【００１９】
より詳細には、上記接続部材２２は、前記ステッピングモータ１３の軸方向と略平行に延在する細長状の本体延設部２２ｃを有しており、その本体延設部２２ｃの延在方向（図１の上下方向）における両端部分に、上述したモータ側係合部２２ａ及び外部側係合部２２ｂが、モータ軸の方向（図１の上下方向）に所定の距離だけ離間するように配置されている。このとき、上記本体延設部２２ｃを、その延在方向、つまり上記モータ側係合部２２ａ及び外部側係合部２２ｂの離間方向に向かって見たときの端面形状は、前記モータ側係合部２２ａと外部側係合部２２ｂとを繋ぐように略Ｕ字状に折り返された形状をなすように形成されていて、当該Ｕ字形状の両端に相当する部分に、上述したモータ側係合部２２ａ及び外部側係合部２２ｂがそれぞれ配置されている。
【００２０】
このとき、上記モータ側係合部２２ａは、前記本体延設部２２ｃが折り返されたＵ字の平行部分に相当する一対の本体延設部２２ｃ，２２ｃどうしを互いに略平行に近接配置させることにより形成されていて、そのモータ側係合部２２ａを構成している一対の対向面どうしの間に画成された狭小隙間内に、前述したステッピングモータ１３側の巻線用接続端子１３ｆが挿入されて弾性的に挟持されるようになっている。すなわち、上述したモータ側係合部２２ａを構成している一対の本体延設部２２ｃ，２２ｃのそれぞれは、互いに分離して別個に形成された片持ち状部材からなり、上記モータ側コネクタ２０における図１上縁部分から同図下方側に向かって細長状に垂下する形状になされている。つまり、上記両本体延設部２２ｃ，２２ｃの各々が、互いに分離された別個の可撓性部材として設けられていることによって、上述したモータ側係合部２２ａにおける弾性が良好に確保された構成になされている。
【００２１】
また、上記外部側係合部２２ｂは、前記本体延設部２２ｃの図１上端側における略Ｕ字形状の一側縁から、図１の下方側、つまり上述したモータ側係合部２２ａに向かって細長状に延出する端子部２２ｂ１を有していて、その端子部２２ｂ１に対して、前述した外部装置側コネクタ（図示省略）が嵌合されるようになっている。すなわち、この外部側係合部２２ｂに対する外部装置側コネクタの着脱方向（上下方向）は、前記モータ側係合部２２ａに対する巻線用接続端子１３ｆの着脱方向（水平方向）に対して、略直交する方向に設定されている。
【００２２】
このような構成を有する本実施形態にかかるモータ用コネクタ装置によれば、モータボビン１３ｂの巻線用接続端子１３ｆが、なんらの部材を介することなく、モータ側コネクタ２０のモータ側係合部２２ａに対して直接的に接続されることとなって、簡易かつ効率的に接続作業が行われる。
【００２３】
また、本実施形態にかかるモータ用コネクタ装置においては、モータ側コネクタ２０が、モータケース１３ａの係止部１３ｇに嵌合されて当該モータケース１３ａの一部を構成するようにして取り付けられていることから、モータ側コネクタ２０が、モータと一体的に効率的に取り扱われるようになっている。
【００２４】
さらに、本実施形態にかかるモータ用コネクタ装置においては、モータ側コネクタ２０の外部側係合部２２ｂに対する外部装置側コネクタの着脱方向が、モータ側コネクタ２０のモータ側係合部２２ａに対する巻線用接続端子１３ｆの着脱方向に対して略直交する方向に設定されていることから、上記外部側係合部２２ｂに対して外部装置側コネクタを着脱させた際に、その外部装置側コネクタの着脱による負荷が、モータ側係合部２２ａと巻線用接続端子１３ｆとの接続部分に対して直接的にかけられないようになっている。
【００２５】
さらにまた、本実施形態にかかるモータ用コネクタ装置においては、モータ側コネクタ２０における接続部材２２の延在方向に直交する方向の端面形状が、モータ側係合部２２ａと外部側係合部２２ｂとを繋ぐように折り返された略Ｕ字形状をなすように形成されていることから、小型の形状をなす接続部材２２によって、モータ側コネクタ２０の全体の剛性が効率的に向上されることとなり、装置の小型化が図られるようになっている。
【００２６】
また、本実施形態にかかるモータ用コネクタ装置においては、モータ側コネクタ２０の接続部材２２における本体延設部２２ｃの略Ｕ字状に折り返された対向形状を利用して、モータ側係合部２２ａが容易に形成されていることから、モータ側コネクタ２０の生産性が向上されることとなる。
【００２７】
さらに、本実施形態にかかるモータ用コネクタ装置においては、上記モータ側コネクタ２０を、ステッピングモータ１３側と一体のユニット化した状態に嵌合して取り扱うように形成しておけば、モータ側コネクタ２０を取り付ける作業を、簡略化又は省略させることが可能となる。
【００２８】
以上、本発明者によってなされた発明の実施形態を具体的に説明したが、本発明は上記実施形態に限定されるものではなく、その要旨を逸脱しない範囲で種々変形可能であるというのはいうまでもない。
【００２９】
例えば、上述した実施形態は、冷蔵庫のダンパー装置に本発明を適用したものであるが、本発明は、それ以外の多種多様なモータ用コネクタ装置に対しても同様に適用することができるものである。
【００３０】
【発明の効果】
以上述べたように本発明の請求項１にかかるモータ用コネクタ装置は、モータボビンの巻線用接続端子を、なんらの部材を介することなく外部側装置に対して直接的に接続させるモータ側係合部及び外部側係合部を備えたモータ側コネクタによって、モータ側と外部装置側との接続作業を簡易かつ効率的に行い得るように構成したものであるから、モータ側と外部装置側との接続作業を、簡易な構造で安価かつ良好に行うことができる。
【００３１】
また、本発明の請求項２にかかるモータ用コネクタ装置は、上記請求項１に加えて、モータ側コネクタをモータケースの係止部に嵌合させて、当該モータケースの一部を構成するようにして取り付けたことにより、モータ側コネクタをモータと一体的に効率的に取り扱う扱うことを可能としたものであるから、上述した請求項１にかかる効果に加えて、生産性の向上を図ることができる。
【００３２】
さらに、本発明の請求項３にかかるモータ用コネクタ装置は、上記請求項１に加えて、モータ側コネクタの外部側係合部に対する外部装置側コネクタの着脱方向を、モータ側係合部に対する巻線用接続端子の着脱方向に対して略直交する方向に設定して、外部側係合部に対して外部装置側コネクタを着脱させた際に、その外部装置側コネクタの着脱による負荷が、モータ側係合部と巻線用接続端子との接続部分に対して直接的にかけられないようにしたものであるから、上述した請求項１にかかる効果に加えて、コネクタの接続作業をより一層安定的に行わせることができる。
【００３４】
また、本発明の請求項４にかかるモータ用コネクタ装置は、上記請求項３に加えて、モータ側コネクタにおける本体延設部の折り返された形状を利用してモータ側係合部を形成して、モータ側コネクタの生産性を向上させるようにしたものであるから、上述した請求項３にかかる効果に加えて、モータ側コネクタの生産性を一層高めることができる。
【００３５】
さらに、請求項５にかかるモータ用コネクタ装置は、請求項１に加えて、モータ側コネクタを、モータに対して一体のユニット化した状態に嵌合して、モータ側コネクタを取り付ける作業を簡略化又は省略させたものであるから、上述した効果に加えて、モータの組立性を向上させることができる。
【図面の簡単な説明】
【図１】本発明の一実施形態におけるモータ用コネクタ装置のモータ側コネクタの構造を表した部分拡大斜視説明図である。
【図２】図１に示されたモータ側コネクタを、冷蔵庫のモータ式ダンパー装置の駆動部に用いた状態を表した平面説明図である。
【図３】図２に示されたモータ式ダンパー装置の駆動部の縦断面説明図である。
【図４】図２及び図３に示されたモータ式ダンパー装置を用いた冷蔵庫の一例を表した縦断面説明図である。
【符号の説明】
１  冷蔵庫
１０  モータ式ダンパー装置
１１ａ  バッフル
１２  樹脂製ケース体
１３  ステッピングモータ
１３ａ  モータケース
１３ｂ  駆動コイル（巻線）
１３ｃ  モータボビン
１３ｄ  回転軸
１３ｅ  ロータ
１３ｆ  巻線用接続端子
１３ｇ  係止部
２０  モータ側コネクタ
２１  樹脂製のホルダ
２１ａ  係合脚部
２２  接続部材
２２ａ  モータ側係合部
２２ｂ  外部側係合部
２２ｂ１  端子部
２２ｃ  本体延設部
【図１】
0003914719.tif 000002
【図２】
0003914719.tif 000003
【図３】
0003914719.tif 000004
【図４】
0003914719.tif 000005